(57)【要約】【課題】  容易にしぼり方を習得することができる拭き具を提供することを目的とする。【解決手段】  滲水性を有する拭き具であって、しぼる手の位置を示す目印５を設けた。前記目印５は、左右一対として設けられる。前記目印５は、左右対称に設けられる。前記目印５は、手の方向を示す方向表示部15R,15Lと、手の位置を示す位置表示部16とを備える。これにより、目印５にしたがって握時することによって必然的に正しい姿勢で拭き具をしぼることができるので、しぼり方を知らなくても確実にしぼることができ、また、容易に正しいしぼり方を習得することができる。【選択図】図１
0003116043.tif 000002
【実用新案登録請求の範囲】
【請求項１】
滲水性を有する拭き具であって、しぼる手の位置を示す目印を設けたことを特徴とする拭き具。
【請求項２】
前記目印は、手の方向を示す方向表示部と、手の位置を示す位置表示部とを備えることを特徴とする請求項１記載の拭き具。
【請求項３】
前記目印は、左右一対として設けられることを特徴とする請求項１又は２記載の拭き具。
【請求項４】
前記目印は、左右対称に設けられることを特徴とする請求項３記載の拭き具。
【請求項５】
前記目印は、縫目で形成されることを特徴とする請求項１〜４いずれか１項記載の拭き具。
【考案の詳細な説明】
【技術分野】
【０００１】
本考案は拭き具に関し、特に水分を含んだときに両手でしぼることができる拭き具に関するものである。
【背景技術】
【０００２】
従来、この種の拭き具として、雑巾、台拭きやタオルなどが用いられており、それぞれ濡れた状態又は乾燥した状態で、床、テーブル又は体などを拭くと共に、一旦使用した後は水洗いをして汚れを落とし、その水分を含んだ拭き具をしぼって再び使用していた。このとき拭き具は、拭き具をしぼりやすい大きさに折り畳んだ後、縦方向に下から把持した両側をそれぞれ逆方向にひねることによってしぼっている。
【考案の開示】
【考案が解決しようとする課題】
【０００３】
しかしながら、近年、上記のような拭き具を使用する機会が減ったことに伴い、しっかりと拭き具をしぼることができない場合があるという懸念があった。特に子供にあっては、上記のように正しい拭き具のしぼり方を知らず、或いは、一度習得しても忘れてしまい拭き具をしぼることができないことが顕著であり、このような場合には、掃除などを行う際の妨げとなる。また、使用する際に拭き具のしぼり方をその都度教えることは煩雑である。
【０００４】
そこで、本発明は上記した問題点に鑑み、容易にしぼり方を習得することができる拭き具を提供することを目的とする。
【課題を解決するための手段】
【０００５】
上記目的を達成するために、請求項１記載の拭き具は、滲水性を有する拭き具であって、しぼる手の位置を示す目印を設けた。
【０００６】
また、請求項２記載の拭き具は、前記目印が、手の方向を示す方向表示部と、手の位置を示す位置表示部とを備えることとした。
【０００７】
また、請求項３記載の拭き具は、前記目印が、左右一対として設けられることとした。
【０００８】
また、請求項４記載の拭き具は、前記目印が、左右対称に設けられていることとした。
【０００９】
また、請求項５記載の拭き具は、前記目印が、縫目で形成されることとした。
【考案の効果】
【００１０】
本考案の請求項１記載の拭き具によれば、目印にしたがって握時することによって必然的に正しい姿勢で拭き具をしぼることができるので、しぼり方を知らなくても確実にしぼることができ、また、容易に正しいしぼり方を習得することができる。
【００１１】
また、請求項２に記載の拭き具によれば、拭き具をしぼるときの手の位置、手の方向を直感的に把握することができるので、容易にしぼり方を習得することができる。
【００１２】
また、請求項３に記載の拭き具によれば、しぼりやすい大きさにするために拭き具を二つ折りにした場合に、目印が適切な位置にあるので、容易にしぼることができる。
【００１３】
また、請求項４に記載の拭き具によれば、二つ折りにした雑巾の表裏を使い分けることにより、右利き用と左利き用を併用することができるので、利便性を向上することができる。
【００１４】
また、請求項５に記載の拭き具によれば、目印が雑巾を縫製するための縫目をかねることにより、製造コストを低減することができる。
【考案を実施するための最良の形態】
【００１５】
以下図面を参照して、本考案の第１実施例について説明する。
【００１６】
図１示す拭き具である雑巾１は、タオルを四つ折りにし、重ねた四隅を縫着し、さらに表面中央も対角線状に縫着して四つ折りにしたタオルを一体化したものである。こうして四隅の縫目S1及び対角線状の縫目S2を有する横長の雑巾本体２が形成される。雑巾本体２の略中央には折返し線Ｌが設けられており、折返し線Ｌに対し、一側に一側本体部３、他側に他側本体部４が形成される。
【００１７】
前記雑巾本体２の一面には、両手でしぼる位置を示す目印５が設けられている。目印５は、油性の色付インク等で表示され、手の方向及び位置を示す第一目印６と、第二目印７とからなる。この第一目印６と第二目印７とは、一側本体部３と他側本体部４とにそれぞれ縦方向に配置されている。また、一側本体部３と他側本体部４に配置された目印５は、左右対称である。すなわち、一側本体部３には縦方向の一端側に第二目印７、他端側に第一目印６がそれぞれ配置され、また、他側本体部４には、一端側に第一目印６、他端側に第二目印７がそれぞれ配置される。
【００１８】
第一目印６及び第二目印７は、それぞれ斜めに傾いた両手のいずれか一方の輪郭で表され、手の向きで方向を示すと共に、手の平で位置を示す。すなわち、第一目印６は幅方向略中央に配置され、縦方向に対し反時計方向に略４５度傾いた右手の輪郭で表される。一方、第二目印７は、幅方向略中央に配置され、縦方向に対し時計方向に略４５度傾いた左手の輪郭で表される。尚、図面上では第一目印６及び第二目印７は共に手首を含む場合を示したが、本発明はこれに限らず、手の方向が明確に表示できれば、手首を含まなくてもよいことはいうまでもない。
【００１９】
次に上記構成の作用について説明する。尚、説明の便宜上、使用者が右利きであるとして説明する。まず、図２に示すように、雑巾１をしぼりやすい大きさにするため、雑巾本体２を折り畳む。すなわち、略中央に設けられた折返し線Ｌにおいて山折りする。このようにして二つ折りにした雑巾本体２の他側本体部４を上面とし、雑巾本体２を裏面側から両手で支える。このとき、上面となる他側本体部４の一端側に設けられた第一目印６が右手の位置を示し、他端側に設けられた第二目印７が左手の位置を示す。したがって、右手を雑巾本体２の一端側であって、縦方向に対し反時計方向に略４５度傾けて、第一目印６に裏面側から重ねて配置する。また、左手を雑巾本体２の他端側であって、縦方向に対し時計方向に略４５度傾けて第二目印７に裏面側から重ねて配置する。
【００２０】
このとき、図３に示すように、二つ折りされた雑巾本体２の裏面側において、一側本体部３に設けられた第一目印６及び第二目印７に手を重ねることによって、必然的に両手が所定方向及び所定位置に配置される。すなわち、目印５は中央に設けられた折返し線Ｌを挟んで左右対称に配置されているから、二つ折りにすることにより反転し、裏面側の目印５が上面側の目印５と略同じ方向、略同じ位置となる。したがって、一側本体部３の第二目印７が右手の位置を示し、一側本体部３の第一目印６が左手の位置を示すこととなるので、間違えずに両手を目印５に合わせることができる。
【００２１】
このように、二つ折りした雑巾本体２を両手で握持することができたら、図４に示すように、上面側から裏面側へ押し出すように右手と左手をそれぞれ逆方向に回動する。そうすると、正しい姿勢で雑巾１をしぼることができる。尚、左利きの場合には、二つ折りにした雑巾本体２の表裏を逆とすればよい。
【００２２】
このように上記実施例では、滲水性を有する雑巾１であって、しぼる手の位置を示す目印５を設けたから、目印５にしたがって握時することによって必然的に正しい姿勢で雑巾１をしぼることができるので、しぼり方を知らなくても確実にしぼることができ、また、容易に正しいしぼり方を習得することができる。
【００２３】
また、前記目印５は、左右一対として設けられることとしたから、しぼりやすい大きさにするために雑巾１を二つ折りにした場合に、目印５が適切な位置にあるので、容易にしぼることができる。
【００２４】
また、前記目印５は、左右対称に設けられることとしたから、二つ折りにした雑巾１の表裏を使い分けることにより、右利き用と左利き用を併用することができるので、利便性を向上することができる。
【００２５】
また、図５に示すように、目印５は、雑巾１の地の色と異なる糸で縫製した縫目で形成してもよい。この場合、目印５を形成すると共に雑巾１を縫製することができるので、対角線状の縫目S2を省略することができ、製造コストを低減することができる。
【００２６】
また、図６に示すように、前記目印５は、斜めに伸びる複数の傾斜線で構成してもよい。すなわち、前記第一目印６は、縦方向に対し反時計方向に略４５度傾いた傾斜線で構成され、前記第二目印７は、縦方向に対し時計方向に略４５度傾いた傾斜線で構成される。このように構成した第一目印６及び第二目印７は、雑巾１の地の色と異なる糸で縫製した縫目で形成してもよい。この場合、目印５を形成すると共に雑巾１を縫製することができ、製造コストを低減することができる。さらに、略直線的な縫目のためシンプルな目印５とすることができる。したがって、容易に製造できると共に、より製造コストを低減できる。
【００２７】
また、目印５は、動物の手、例えば猫の手や犬の手としたり、手袋の形状とすることとしてもよい。この場合、目印５をデザイン化することができるので、楽しくしぼり方を習得することができる。
【００２８】
また、前記目印５を、前記雑巾１の一面に加え、他面にも設けることとしてもよい。この場合、折返し線Ｌにおいて谷折りしても、同様に目印５をもとに雑巾１を絞ることができるので、利便性を向上することができる。
【００２９】
次に本発明の第２実施例について説明する。尚、上記した実施例と同様の構成については同様の符号を付し、簡単のため説明を省略する。
【００３０】
図７に示す雑巾１の表面に設けられた目印５は、油性の色付インク等で表示され、手の方向及び位置を示す第一目印６と、第二目印７とからなる。第一目印６及び第二目印７は、手の方向を示す方向表示部15と、手の位置を示す位置表示部16とからなる。この方向表示部15は、斜めに伸びる直線であり、第一目印６の方向表示部15Rは雑巾１の縦方向に対し反時計方向に略４５度傾いており、第二目印７の方向表示部15Lは雑巾１の縦方向に対し時計方向に略４５度傾いている。また、位置表示部16は、第二目印７及び第一目印６ともに略円形状であり、図においては、周方向に複数の花弁を有する花で表されている。
【００３１】
このように、位置表示部16を花びらで、また、方向表示部15を傾斜した直線で表すことにより、目印５をデザイン化することができる。また、目印５を花で構成することにより、複数の花弁を有する花が手の平を連想させるので、直感的に手を目印５の位置へ配置させることができる。また、位置表示部16と、方向表示部15とは、雑巾１の地の色と異なる糸で縫製した縫目で形成してもよい。この場合、目印５を形成すると共に雑巾１を縫製することができるので、対角線状の縫目S2を省略することができ製造コストを低減することができる。
【００３２】
また、方向表示部15は、「右」、「左」など、方向を示す言葉を表示してもよい。この場合、右利き用、左利き用を明確に使い分けることができる。
【００３３】
本考案は、本実施形態に限定されるものではなく、本考案の要旨の範囲内で種々の変形実施が可能である。例えば、上記各実施例では、拭き具として雑巾の場合について説明したが、本発明はこれに限らず、拭き具は、タオル、布きんでもよい。この場合、場所、用途に応じて使用機会が増えるため、繰り返し使用することによりしぼり方を確実に習得することができる。また、目印は、アップリケや刺繍で構成してもよい。この場合、デザインの幅を広げることができる。
【図面の簡単な説明】
【００３４】
【図１】本発明の第１実施例に係る拭き具の全体構成を示す平面図である。
【図２】二つ折りにした状態を示す図であり、使用状態を示す図である。
【図３】同上、裏面図である。
【図４】使用状態を示す斜視図である。
【図５】同上、変形例を示す図である。
【図６】同上、別の変形例を示す図である。
【図７】本発明の第２実施例に係る拭き具の全体構成を示す平面図である。
【符号の説明】
【００３５】
１    雑巾（拭き具）
２    雑巾本体
５    目印
６    第一目印
７    第二目印
15R,15L  方向表示部
16    位置表示部
S1,S2  縫目
【図１】
0003116043.tif 000003
【図２】
0003116043.tif 000004
【図３】
0003116043.tif 000005
【図４】
0003116043.tif 000006
【図５】
0003116043.tif 000007
【図６】
0003116043.tif 000008
【図７】
0003116043.tif 000009